(57)【要約】  本発明のアイウェアは、電気素子を有するレンズと、レンズを保持し、中空に形成されたテンプルと、電気素子の制御を行う制御部と、制御部と配線を介して電気的に接続される電子部品と、配線を内部に収容した状態でテンプルの内部に配置されており、フィッティングのため耳掛け部が変形されるとき、耳掛け部の変形に追従して変形する中空部材と、を有する。
2019181150.tif 000002
【特許請求の範囲】
【請求項１】
電気素子を有するレンズと、
前記レンズを保持し、一部が中空に形成されたフレームと、
前記電気素子の制御を行う制御部と、
前記制御部と配線を介して電気的に接続される電子部品と、
前記配線を内部に収容した状態で前記フレームの内部に配置されており、前記フレームの変形に追従して変形する中空部材と、
を有するアイウェア。
【請求項２】
前記中空部材は、前記フレームの変形に追従して弾性変形する、
請求項１に記載のアイウェア。
【請求項３】
前記中空部材は、金属で形成される、
請求項１または２に記載のアイウェア。
【請求項４】
前記中空部材は、テンプルの内部に配置される、
請求項１から３のいずれか一項に記載のアイウェア。
【請求項５】
前記テンプルは屈曲部を有する耳掛け部を含み、
前記中空部材は、前記屈曲部に配置される、
請求項４に記載のアイウェア。
【請求項６】
前記中空部材は、ブリッジの内部に配置される、
請求項１に記載のアイウェア。
【請求項７】
前記中空部材は、コイルバネである、
請求項１から６のいずれか一項に記載のアイウェア。
【請求項８】
前記中空部材は、前記テンプルの耳掛け部の屈曲部を含む所定の範囲において前記フレームの変形に追従して弾性変形する弾性変形領域を有し、かつ、前記テンプルの耳掛け部の屈曲部を含む所定の範囲以外の範囲において前記フレームの変形に追従して変形する非弾性変形領域を有する、
請求項４または５に記載のアイウェア。
【請求項９】
前記弾性変形領域は、コイルバネで形成され、
前記非弾性変形領域は、金属パイプで形成され、
かつ、前記弾性変形領域と前記非弾性変形領域とが連結されている、
請求項８に記載のアイウェア。
【請求項１０】
電気素子を有するレンズと、
前記レンズを保持し、一部が中空に形成されたフレームと、
前記電気素子の制御を行う制御部と、
前記制御部と配線を介して電気的に接続される電子部品と、
前記配線を内部に収容した状態で前記フレームの内部に配置されており、前記フレームの変形に追従して変形するフレキシブルチューブと、
を有するアイウェア。
【請求項１１】
前記フレキシブルチューブは、断面がＳ字型に形成された金属環状部材を繋ぎ合わせて形成された、
請求項１０に記載のアイウェア。
【請求項１２】
前記フレキシブルチューブは、金属板を断面波型に加工して形成された、
請求項１０に記載のアイウェア。
【請求項１３】
前記フレキシブルチューブは、金属管を蛇腹型に加工して形成された、
請求項１０に記載のアイウェア。
【請求項１４】
前記フレキシブルチューブは、金属薄板を筒状に形成した部材であって、長軸方向に沿って所定の幅の隙間を有する部材である、
請求項１０に記載のアイウェア。
【請求項１５】
前記フレキシブルチューブは、同軸ケーブルである、
請求項１０に記載のアイウェア。
【請求項１６】
前記電子部品は、前記制御部に電力を供給する電源である、
請求項１から１５のいずれ一項に記載のアイウェア。
【請求項１７】
前記電子部品は、アイウェアの使用者の身体情報を取得するセンサである、
請求項１から１６のいずれか一項に記載のアイウェア。
【発明の詳細な説明】
【技術分野】
【０００１】
本発明は、電気素子を有するレンズを有するアイウェアに関する。
【背景技術】
【０００２】
メガネやサングラス等のアイウェアの装着時において、使用者が良好な装着感を得るためには、フレーム各部のフィッティング（位置調整）が重要である。装着感を向上させるため、フレームの一部であるテンプルの先端部（モダン）の角度を容易に調整することができる技術が、例えば特許文献１等に開示されている。【０００３】
特許文献１では、テンプルの後端部に中空筒部を形成し、この中空筒部内にコイルバネを設け、このコイルバネの両端部を中空筒部のボトム部とモダンの連結軸部とに接続した状態で、モダンの連結軸部をテンプルの中空筒部に挿入している。このような構成により、モダンの位置をテンプル軸回り方向において自由に調整することができる。
【先行技術文献】
【特許文献】
【０００４】
【特許文献１】特開２００９−９２９４６号公報
【発明の概要】
【発明が解決しようとする課題】
【０００５】
近年、電気素子を有するレンズを備えたアイウェアが様々な用途に用いられている。このようなアイウェアでは、電気素子を制御することで、例えばレンズの屈折率、色、偏光状態等を変化させることができる。このような電気素子を有するレンズを備えたアイウェアでは、電気素子に電力を供給するための配線を通すため、フレームを例えば樹脂等で中空に形成する必要がある。樹脂等で中空に形成されたフレームの強度は低いが、例えばフレーム内に金属パイプ等の中空部材を配置することで、強度を確保することができる。そして、金属パイプ内に配線を通すことで、配線を保護することができる。【０００６】
このような電気素子を有するレンズを備えたアイウェアにおいて、フレーム各部のフィッティングが必要となった場合、樹脂製のフレームに熱を加えて軟化させ、軟化したフレームに力を加えて変形させることでフィッティングが行われる。この際、金属パイプがフレーム内部に配置されていると、フレームとともに金属パイプも変形させる必要が生じ、フィッティングにかかる手間や労力が増大する、という問題があった。また、複数回のフィッティングが必要となった場合、金属パイプにおいて複数回の変形による曲げ癖が生じ、フレームの外形に悪影響が生じることがあった。【０００７】
このため、電気素子を有するレンズを備えたアイウェアにおいても、フレームのフィッティングを好適に行うことができるような構成が要望されている。【０００８】
本発明は、上記事情に鑑み、電気素子を有するレンズを備えたアイウェアにおいて、フレームのフィッティングを好適に行うことができるアイウェアを提供することを目的とする。
【課題を解決するための手段】
【０００９】
本発明に係るアイウェアは、電気素子を有するレンズと、前記レンズを保持し、一部が中空に形成されたフレームと、前記電気素子の制御を行う制御部と、前記制御部と配線を介して電気的に接続される電子部品と、前記配線を内部に収容した状態で前記フレームの内部に配置されており、前記フレームの変形に追従して変形する中空部材と、を有する。【００１０】
本発明に係るアイウェアは、電気素子を有するレンズと、前記レンズを保持し、一部が中空に形成されたフレームと、前記電気素子の制御を行う制御部と、前記制御部と配線を介して電気的に接続される電子部品と、前記配線を内部に収容した状態で前記フレームの内部に配置されており、前記フレームの変形に追従して変形するフレキシブルチューブと、を有する。
【発明の効果】
【００１１】
本発明によれば、電気素子を有するレンズを備えたアイウェアにおいて、フレームのフィッティングを好適に行うことができる。
【図面の簡単な説明】
【００１２】
【図１】本実施形態に係る電子メガネの構成の一例を示す斜視図
【図２】電子メガネの平面図かつ一部透視図
【図３】電子メガネを右側面から見た一部透視図
【図４】耳掛け部に対して外部から力が加えられた場合の、耳掛け部の位置の変化について説明するための図
【図５Ａ】コイルバネを例示した斜視図
【図５Ｂ】フレキシブルチューブの斜視図
【図５Ｃ】断面がＳ字型に形成された金属環状部材を繋ぎ合わせたフレキシブルチューブの断面図
【図５Ｄ】金属板を断面波型（蛇腹型、すなわちベローズ）に加工したフレキシブルチューブの断面図
【図５Ｅ】金属薄板を筒状に形成した部材であって、長軸方向に沿って所定の幅の隙間（スリット）を有するフレキシブルチューブの側面図
【発明を実施するための形態】
【００１３】
以下、本発明の実施形態（本実施形態）に係るアイウェアについて、図面を用いて説明する。
【００１４】
本発明において、アイウェアとは、視力矯正や目の保護、映像の視聴等のために、目に装着して使用される器具を意味し、視力矯正用のメガネやサングラス等に加えて、仮想空間（ＶＲ）・拡張現実（ＡＲ）を体験するためのＶＲグラスや、映像等が表示されるスマートグラス・ヘッドセット等を含むものである。以下の説明では、アイウェアの一例として、電気的制御によってその光学特性を変化させることができる電気活性領域を含むレンズを有する電子メガネについて説明する。
【００１５】
［電子メガネの構成］
図１は、本実施形態に係る電子メガネ１００の構成の一例を示す斜視図である。電子メガネ１００は、一対のレンズ１１０と、フレーム１２０と、電子部品１６０とを有する。フレーム１２０は、フロント１３０、および一対のテンプル１４０を有する。なお、以下の説明では、フロント１３０が配置されている部分を電子メガネ１００の正面（前方）として説明する。
【００１６】
１）レンズ
一対のレンズ１１０は、電子メガネ１００を正面視したときに左右対称となるように形成されており、互いに同一の構成要素を有する。
【００１７】
レンズ１１０は、液晶レンズ１１１および一対の図示しない電極を有している。液晶レンズ１１１は多層構造となっており、少なくとも、液晶層（不図示）を前後から挟む一対の導電層（不図示）を有している。一対の導電層はそれぞれ電極に接続されている。一対の導電層間に電圧が印加されると、液晶層が活性化し、液晶レンズ１１１の屈折率が変化する。なお、電極としてはＩＴＯ等の透明電極が用いられている。液晶レンズ１１１は、本発明の電気素子の一例であり、表示装置等であってもよい。
【００１８】
レンズ１１０は、後に説明するリム１３１の形状に合った形状となるように、レンズブランクから切り出されて形成されている。
【００１９】
２）フロント
図１に示されるように、フロント１３０は、一対のレンズ１１０を保持している。フロント１３０は、一対のレンズ１１０をそれぞれ支持している一対のリム１３１と、一対のリム１３１を互いに接続しているブリッジ１３２とを有する。リム１３１の形状は、レンズ１１０の形状に対応する形状である。ブリッジ１３２は、使用者の鼻に接触しうる一対の鼻パッド１３３を有する。特に図示しないが、フロント１３０の内部には、レンズ１１０の電極と後述の制御部１５０とを電気的に接続するための配線が配置されている。
【００２０】
フレーム１２０を構成するフロント１３０の材料は、特に限定されないが、熱可塑性を有し、必要に応じて各部の位置や形状を調整可能である材料が好ましい。フロント１３０の材料としては、メガネのフロントの材料として使用されている公知の材料が使用されうる。フロント１３０の材料の例には、ポリアミド、アセテート、カーボン、セルロイド、ポリエーテルイミドおよびウレタンが含まれる。
【００２１】
フロント１３０は、その両端部近傍に、智１３４を有している。智１３４は、リム１３１から見て左方または右方および後方に向かって延在する部位である。智１３４の後方先端部は、ヒンジ１４１によってテンプル１４０と接続されている。
【００２２】
３）テンプル
左右一対のテンプル１４０は、電子メガネ１００においてほぼ左右対称の外形を有するように形成されている。図１に示されるように、テンプル１４０は、その前端部のヒンジ１４１においてフロント１３０に回転可能に接続されている。なお、以下のテンプル１４０の説明における前または後ろは、テンプル１４０が展開された状態（図１から図３に示される状態）における前または後ろを意味する。
【００２３】
フレーム１２０を構成するテンプル１４０の材料は、特に限定されないが、熱可塑性を有し、必要に応じて各部の位置や形状を調整可能である樹脂等の材料が好ましい。テンプル１４０の材料の例としては、メガネのテンプルの材料として使用されている公知の材料、例えばフロント１３０の材料の例と同じ材料が使用されうる。なお、テンプル１４０の材料として透明または半透明の材料を用いることにより、例えば、後述のコイルバネ２００を外部からフィッティングの状態やコイルバネ２００の曲がり具合等を確認することができ、また、コイルバネ２００にロゴやマーク、模様を施したり、製造情報や製品情報、シリアルナンバーやバーコード等を印字したりした場合には、テンプル１４０のデザイン性を向上させたり、製品のトレーサビリティ向上や偽造防止対策に活用したりすることも可能である。
【００２４】
図２および図３に示すように、テンプル１４０の外形は、筐体１４２によって構成されている。筐体１４２は、制御部１５０と、配線１５１と、コイルバネ２００と、を収容している。図２は、電子メガネ１００の平面図かつ一部透視図である。図３は、電子メガネ１００を右側面から見た一部透視図である。図２および図３では、テンプル１４０の筐体１４２に収容された制御部１５０、配線１５１、およびコイルバネ２００が、筐体１４２を透視した状態で図示されている。なお、図２では電子メガネ１００の使用者から見て右側のテンプル１４０にのみ制御部１５０、配線１５１、およびコイルバネ２００を図示している。
【００２５】
テンプル１４０の後端部付近には、耳掛け部１４３が形成されている。なお、本実施形態では耳掛け部１４３がテンプル１４０の筐体１４２の一部として一体成形されているが、本発明はこれに限定されない。耳掛け部１４３は筐体１４２と同じまたは別の材料で別体に形成され、テンプル１４０の後端部に取り付けられていてもよい。
【００２６】
図１および図２に示すように、テンプル１４０の前端部付近には、被接触部１４４が設けられている。被接触部１４４は、例えば、電子メガネ１００の操作のため使用者の指等の対象物によって接触されうる部位である。このため、図１に示すように、被接触部１４４の少なくとも一部は、筐体１４２の外部に露出するように配置されている。
【００２７】
被接触部１４４の位置は、電子メガネ１００の使用者が被接触部１４４を触りやすい位置であることが好ましい。このような観点から、被接触部１４４は、筐体１４２の長軸方向における中点より前方側に配置されている。また、被接触部１４４は、筐体１４２における電子メガネ１００の使用者から見て外側の面に配置されている。
【００２８】
被接触部１４４の形状は、特に限定されない。本実施形態では、被接触部１４４は、筐体１４２の長軸方向に沿って延在している。
【００２９】
被接触部１４４は、特に制限はないが、例えば、静電容量式のタッチセンサーや機械式のスイッチである。本実施の形態では、一例として、被接触部１４４が静電容量式のタッチセンサーである場合について説明する。この場合、導電体である対象物の被接触部１４４への接触は、電気的に制御部１５０に伝達される。このため、被接触部１４４は、導電性を有している。被接触部１４４の材料の例には、金、銀、銅、アルミニウムおよびこれらの合金が含まれる。この場合、被接触部１４４の少なくとも周辺部（例えばテンプル１４０）の材料は、絶縁性であることが好ましい。
【００３０】
４）制御部
制御部１５０は、例えば、ＣＰＵ等によって構成され、被接触部１４４における静電容量の変化の検出と、液晶レンズ１１１への電圧の印加とを制御する。具体的には、制御部１５０は、例えば、被接触部１４４が対象物の接触を検出したときに、液晶レンズ１１１に電圧を印加する、またはその電圧の印加を停止する制御を行い、液晶レンズ１１１の屈折率を切り替える。例えば、本発明の電気素子が表示装置（不図示）である場合は、制御部１５０は、被接触部１４４が対象物の接触を検出したときに、表示装置に電圧を印加し、映像等の情報信号を送信して映像等を表示する制御をしたり、電圧印加・情報信号の送信を停止する制御を行い、表示装置への映像の表示・映像の切り替え等を行ったりする。また、制御部１５０は、後述の各種の電子部品１６０の操作・制御を行う。
【００３１】
制御部１５０は、筐体１４２の前端部付近において内部に収容されている。
【００３２】
５）配線
配線１５１は、制御部１５０と、電子部品１６０とを電気的に接続する。配線１５１は、例えば導線の周囲を絶縁性の被覆部材で覆った被覆電線やフレキシブルプリント配線板（ＦＰＣ）である。図２および図３に示すように、配線１５１は、筒状に形成されたコイルバネ２００の内部に、絶縁された状態で収容されている。
【００３３】
６）電子部品
電子部品１６０は、電子メガネ１００の機能に関わる種々の電子部品である。電子部品１６０の例としては、以下のようなものがある。例えば、制御部１５０および液晶レンズ１１１に電力を供給する電源、各種情報を記憶する記憶部としてのメモリ（例えば、フラッシュメモリやメモリカード等の外部記憶装置を読み書きするリーダ／ライタを含む）、ＷｉＦｉやブルートゥース（登録商標）、ＮＦＣ（近距離無線通信）等の無線通信機能を提供する通信部としての無線通信装置、上述の制御部１５０（液晶レンズ１１１に電圧を印加する、またはその電圧の印加を停止する制御を行い、液晶レンズ１１１の屈折率を切り替える装置）とは異なる制御を行う第二の制御部（例えば、液晶レンズ１１１を電圧を印加することによりレンズの色を変化・調光させるエレクトロクロミックレンズに交換した場合や、後述のカメラやマイク、液晶ディスプレイ等を操作・制御する場合に、それらの電子部品の動作を制御する装置）、第二の被接触部（第二のタッチセンサー部）、カメラ、マイク、スピーカ（従来の音を発するスピーカのほか、骨伝導式スピーカを含む）、補聴器（集音器）、各種センサ（加速度センサ、傾斜センサ、心拍センサ、ＧＰＳ、体温計、筋電センサ等）がある。
【００３４】
上記のように例示した電子部品１６０を有する電子メガネ１００の使用形態として、例えば以下のような形態が考えられる。すなわち、例えば、各種センサに基づいて得られた使用者の活動状態（加速度センサや傾斜センサ、ＧＰＳ等によって得られる使用者の動きや位置等の情報）や身体状態（心拍センサ、体温計、筋電センサ等によって得られる、使用者の身体や健康状態に関する情報）を制御部１５０が常時または適時に取得して、メモリに記憶し、無線通信装置を介して外部ネットワークや電子機器（使用者のスマートフォンやウェアラブル端末等）に取得した情報等を記憶・更新するような形態である。このような使用形態によれば、電子メガネ１００の有用性が大きく向上する。
【００３５】
なお、図１から図３では、電子部品１６０として、筐体１４２の後端部に着脱可能に保持される充電式のバッテリーパックである電源を例示している。電源の例には、ニッケル水素充電池、リチウムイオン充電池、太陽電池が含まれる。なお、図１から図３では、着脱可能なバッテリーパックである電子部品１６０が筐体１４２の後端部に保持されている例を示したが、電子部品１６０が配置される位置については本発明では特に限定しない。例えばメモリや無線通信装置、第二の制御部等の場合は制御部１５０と同様の位置に配置されてもよい。また、電子部品１６０がカメラ、マイク、スピーカ、補聴器、各種センサ等である場合、電子部品１６０はそれぞれの目的に応じた位置に配置されればよい。具体的には、例えばカメラやマイクはフロント１３０の一部、スピーカ、補聴器は耳掛け部１４３の一部等に配置されればよい。
【００３６】
７）コイルバネ
コイルバネ２００は、中空の筒形状に形成されたバネであり、例えば円筒形状に形成されている。コイルばね２００は、本発明の中空部材の一例である。図２および図３に示すように、コイルバネ２００は、特に制限されないが、例えば、筐体１４２の内部において、制御部１５０より後ろ側から、筐体１４２の後端部、すなわち耳掛け部１４３の先端部まで配置されている。上記したように、コイルバネ２００の内部には、配線１５１がコイルバネ２００と絶縁された状態で収容されている。このような構成により、筐体１４２の前端部付近に収容された制御部１５０と筐体１４２の後端部に取り付けられた電子部品１６０とを接続する配線１５１は、コイルバネ２００によって物理的に保護される。なお、コイルバネ２００は、少なくとも、使用者へのフィッティングのために曲げられる電子メガネ１００のテンプル１４０の一部の領域において、筐体１４２の内部に配置されていればよい。
【００３７】
コイルバネ２００は、金属で形成される。このため、コイルバネ２００が筐体１４２内に配置されることで、テンプル１４０の強度が確保される。
【００３８】
また、コイルバネ２００は、弾性を有する。これにより、耳掛け部１４３を耳殻にフィットさせるための調整（フィッティング）の必要が生じた場合、コイルバネ２００は筐体１４２に追従して容易に弾性変形する。
【００３９】
図４は、耳掛け部１４３のフィッティングのために、耳掛け部１４３に対して外部から力が加えられた場合の、耳掛け部１４３の位置の変化について説明するための図である。図４は、電子メガネ１００を平面視した図である。図４に示すように、耳掛け部１４３のフィッティングの際、電子メガネ１００の平面視において、耳掛け部１４３は内側または外側へ向かって変形される。これにより、いわゆる抱え込み角が好適に調整されうる。
【００４０】
この際、コイルバネ２００は、変形した耳掛け部１４３に追従して容易に弾性変形する。このため、コイルバネ２００の存在が耳掛け部１４３のフィッティングの妨げとなりにくく、耳掛け部１４３のフィッティングが好適に行われうる。また、コイルバネ２００の変形は弾性変形であるため、耳掛け部１４３のフィッティングが複数回行われても曲げ癖が残らず、曲げ癖によってテンプル１４０の外形に影響が及ぶ事態が回避される。
【００４１】
なお、図４では、電子メガネ１００の平面視において、耳掛け部１４３を使用者から見て外側または内側に変形させることで、抱え込み角の調整が行われる場合について例示したが、本発明はこれに限定されない。例えばテンプル１４０の上側または下側へ変形させることで、いわゆる落ち込み角の調整が行われるようにしてもよい。さらに、抱え込み角と落ち込み角の両方の調整が同時に行われてもよい。
【００４２】
コイルバネ２００を内部に配置する筐体１４２の製造方法の例としては、例えばインサート成形が挙げられる。すなわち、筐体１４２の外形寸法に合わせて形成された金型（図示せず）にあらかじめコイルバネ２００を挿入し、その周囲に材料を注入して成形することで、コイルバネ２００を内部に配置する筐体１４２を製造することができる。
【００４３】
［効果］
以上説明したように、本発明の実施形態に係る電子メガネ１００は、液晶レンズ１１１を有するレンズ１１０と、レンズ１１０を保持し、中空に形成されたテンプル１４０と、液晶レンズ１１１の制御を行う制御部１５０と、制御部１５０と配線１５１を介して電気的に接続される電子部品１６０と、配線１５１を内部に収容した状態でテンプル１４０の内部に配置されており、フィッティングのため耳掛け部１４３が変形されるとき、耳掛け部１４３の変形に追従して弾性変形するコイルバネ２００と、を有する。
【００４４】
このような構成により、コイルバネ２００によって、配線１５１を物理的に保護することができるとともに、テンプル１４０の強度を確保することができる。また、耳掛け部１４３のフィッティングの際には、コイルバネ２００は筐体１４０に追従して弾性変形するため、耳掛け部１４３のフィッティングを好適に行うことができるようになる。さらに、耳掛け部１４３のフィッティングが複数回行われても、コイルバネ２００の変形は弾性変形であるため曲げ癖が残らず、曲げ癖によってテンプル１４０の外形に影響が及ぶ事態が回避される。
【００４５】
［変形例］
以上、図面を参照しながら本発明の実施形態について説明したが、本発明はかかる例に限定されない。当業者であれば、特許請求の範囲に記載された範囲内において、各種の変更例または修正例に想到しうることは明らかであり、それらについても当然に本発明の技術的範囲に属するものと了解される。また、発明の趣旨を逸脱しない範囲において、上記実施形態における各構成要素は任意に組み合わせられてもよい。
【００４６】
上記した実施形態において、テンプル１４０の強度を確保し、配線１５１を保護し、耳掛け部１４３のフィッティングを好適に行うための中空部材の一例としてコイルバネ２００を示したが、本発明はこれに限定されない。例えば、コイルバネ２００に代わりに、断面がＳ字型に形成された金属製または樹脂製の環状部材を繋ぎ合わせたり、金属板または樹脂版を断面波型に加工したり、金属管または樹脂管を蛇腹型に加工したりしたフレキシブルチューブを採用してもよい。あるいは、コイルバネ２００に代わりに、金属薄板または樹脂薄板を筒状に形成した部材であって、長軸方向に沿って所定の幅の隙間を有するフレキシブルチューブをテンプル１４０内部に配置してもよい。このような部材をテンプル１４０の内部に配置した場合でも、コイルバネ２００を採用した場合と同様の効果を得ることができる。また、中空部材としては、例えばパイプ状の樹脂等、金属以外の材料を用いてもよい。この場合、中空部材は弾性を有していなくてもよい。また、中空部材に樹脂等の金属以外の材料を用いる場合は、テンプル１４０と同じ材料を用いても良いが、例えば、テンプル１４０と異なる物性を有する材料を用いても良い。この場合、例えば、テンプル１４０の樹脂材料よりも曲げ弾性率またはヤング率が高い樹脂材料を中空部材に用いることで、フィッティングの安定性を向上させることができる。また、テンプル１４０の樹脂材料よりも曲げ弾性率またはヤング率が低い樹脂材料を中空部材に用いることで、フィッティングの容易性を向上させることができる。
【００４７】
図５Ａから図５Ｅは、上記した実施形態のコイルバネ２００を含む、テンプル１４０の強度を確保し、配線１５１を保護し、耳掛け部１４３のフィッティングを好適に行うための構成を例示した図である。図５Ａは、コイルバネ２００を例示した斜視図である。図５Ｂはフレキシブルチューブの斜視図である。図５Ｃは断面がＳ字型に形成された金属環状部材を繋ぎ合わせたフレキシブルチューブの断面図である。図５Ｄは金属板を断面波型（蛇腹型、すなわちベローズ）に加工したフレキシブルチューブの断面図である。図５Ｅは金属薄板を筒状に形成した部材であって、長軸方向に沿って所定の幅の隙間（スリット）を有するフレキシブルチューブの側面図である。本発明の実施の形態に係る電子メガネ１００は、図５Ａから図５Ｅに例示した構成のいずれを用いても、テンプル１４０の強度を確保し、配線１５１を保護し、耳掛け部１４３のフィッティングを好適に行うことができる。また、図示は省略するが、フレキシブルチューブと配線１５１が密着または一体形成された態様の一例として、例えば同軸ケーブルが採用されてもよい。
【００４８】
上記した実施形態においては、配線１５１の保護の観点からコイルバネ２００の内部に配線１５１が配置されるため、コイルバネ２００は制御部１５０より後ろ側から、筐体１４２の後端部、すなわち耳掛け部１４３の先端部まで配置されている。しかしながら、本発明はこれに限定されない。本発明では、図４に示すように、耳掛け部１４３のフィッティングの際の変形が、テンプル１４０の一部を支点とした回転方向に行われるとき、コイルバネ２００は、その支点となる箇所に配置されていればよい。耳掛け部１４３の変形の支点とは、具体的には、耳掛け部１４３の根元、すなわち使用者の耳殻形状に合わせて耳掛け部１４３が曲がり始める位置の近傍（図４に示す屈曲部１４３Ｂ）である。
【００４９】
耳掛け部１４３の屈曲部１４３Ｂ付近にのみコイルバネ２００が配置されている場合、テンプル１４０のその他の部位には、例えば金属パイプ（図示せず）が内部に配置されていてもよい。また、コイルバネ２００と金属パイプが連結されている形態としてもよい。これにより、より好適にテンプル１４０の強度を確保することができ、また配線１５１を好適に保護することができる。このような構成により、耳掛け部１４３のフィッティングを好適に行うことができ、テンプル１４０の十分な強度を確保でき、配線１５１を物理的に保護することができる。さらに、複数回のフィッティングが行われても、曲げ癖によるテンプル１４０の外形に影響が及ぶ事態が回避される。
【００５０】
上記した実施形態において、耳掛け部１４３のフィッティングを好適に行うことを目的として、テンプル１４０内にコイルバネ２００を配置していたが、本発明はこれに限定されない。コイルバネ２００は、耳掛け部１４３だけではなく、テンプル１４０全体のフィッティングを行うことができるように構成されてもよい。この場合、コイルバネ２００は、テンプル１４０のうち、少なくとも調整が要求される部位の変形の支点となる箇所に配置されることが望ましい。
【００５１】
また、コイルバネ２００は、フレーム１２０のテンプル１４０以外に配置されてもよい。具体的には、コイルバネ２００は、例えばブリッジ１３２の内部に配置されてもよい。このような構成により、電子メガネ１００の平面視において、ブリッジ１３２によって接続された左右のリム１３１のなす角度を変更するような変形が可能となる。これにより、電子メガネ１００の見え方や掛け心地が向上するようなフィッティングを行うことができる。
【００５２】
上記した実施形態において、筒状に形成されたコイルバネ２００の内部に配線１５１が収容され、制御部１５０は収容されていないが、本発明はこれに限定されない。設計上、筐体１４２の外寸が許容すれば、コイルバネ２００の内部に制御部１５０が収容されていてもよい。この場合、例えば回路基板である制御部１５０をコイルバネ２００によって物理的に保護することができ、より好適である。
【００５３】
上記した実施形態において、図２では、電子メガネ１００の使用者から見て右側のテンプル１４０にのみ制御部１５０、配線１５１、およびコイルバネ２００を図示している。しかしながら、本発明では、左側のテンプル１４０にも同様の構成が配置されていてもよい。あるいは、右側と左側のテンプル１４０のいずれかにのみ制御部１５０が配置されている場合、制御部１５０が配置されない側のテンプル１４０においては、コイルバネ２００がテンプル１４０の長軸方向に沿って全体に配置されていてもよい。
【００５４】
２０１８年３月２２日出願の特願２０１８−０５５００６の日本出願に含まれる明細書、図面および要約書の開示内容は、全て本願に援用される。
【産業上の利用可能性】
【００５５】
本発明は、電気素子を有するレンズを備えるアイウェアとして好適である。
【符号の説明】
【００５６】
１００  電子メガネ
１１０  レンズ
１１１  液晶レンズ
１２０  フレーム
１３０  フロント
１３１  リム
１３２  ブリッジ
１３３  鼻パッド
１３４  智
１４０  テンプル
１４１  ヒンジ
１４２  筐体
１４３  耳掛け部
１４４  被接触部
１５０  制御部
１５１  配線
１６０  電子部品
２００  コイルバネ
【図１】
2019181150.tif 000003
【図２】
2019181150.tif 000004
【図３】
2019181150.tif 000005
【図４】
2019181150.tif 000006
【図５Ａ】
2019181150.tif 000007
【図５Ｂ】
2019181150.tif 000008
【図５Ｃ】
2019181150.tif 000009
【図５Ｄ】
2019181150.tif 000010
【図５Ｅ】
2019181150.tif 000011
【国際調査報告】
2019181150.tif 000012
2019181150.tif 000013
2019181150.tif 000014
2019181150.tif 000015